(57)【特許請求の範囲】
【請求項１】
遊技球を打撃する打撃槌の打撃力を制御するための可変抵抗器を備えた遊技機において、
前記可変抵抗器が、
平面形状が略円形とされる円板形状部と、該円板形状部の表裏一方の面の周縁部から略円筒状に突出する円筒形状部と、該円板形状部の軸心位置において該円板形状部の表裏を貫通する略円筒状に設けられる軸受け部と、を具備するハウジングと、
前記ハウジング内において、裏面を前記円板形状部に当接させつつ前記軸受け部の周りを周状に取り囲む状態に配置されるとともに、表面と内周面とのうちの少なくとも前記表面で開口する凹部が設けられた絶縁基板と、
前記絶縁基板の表面に対して、前記軸受け部の回りを周状に取り囲む状態に形成される抵抗膜と、
前記絶縁基板の表面に対して、前記抵抗膜よりも内周側において前記軸受け部の回りを周状に取り囲む状態に形成されるとともに、前記絶縁基板の凹部と前記絶縁基板の肉厚方向に沿って連続する凹部を有する電極膜ターミナルが設けられた電極膜と、
前記軸受け部によって回動可能に支持されつつ、発射レバーの回動操作に伴って回動する回動軸と、
前記抵抗膜と前記電極膜とを導通させつつ、前記回動軸の回動に連動して回動する導通手段と、
前記ハウジングから露呈する状態に配置されるとともに、前記電極膜ターミナルに電気的に接続される接続端子と、
導電材料を用いて構成され、表裏面を貫通する貫通孔を備えるとともに、前記絶縁基板の凹部及び前記電極膜の凹部からなる凹部の連続部に挿入される補助板と、
他端側が前記接続端子に電気的に接続されるとともに、一端部が前記貫通孔に挿入された状態とされる接続連絡線と、
を備え、
導電性接着剤によって、前記凹部の連続部内が充填されるとともに前記補助板が隠蔽された状態となるように、該導電性接着剤を前記電極膜ターミナル及び前記凹部の連続部内に保持させることで、前記接続連絡線と前記電極膜ターミナルとの電気的な接続が行われることを特徴とする遊技機。
【請求項２】
前記補助板の外周面に凹凸を備えることを特徴とする請求項１に記載の遊技機。
【請求項３】
前記補助板が、前記円板形状部と離間する方向に向かって前記電極膜ターミナルよりも突出する状態に配置されることを特徴とする請求項１又は請求項２の何れかに記載の遊技機。
【発明の詳細な説明】
【０００１】
【発明の属する技術分野】
本発明は、遊技の起動力を制御するための可変抵抗器を起動装置に使用した遊技機に関する。
【０００２】
【従来の技術】
遊技機の中には、起動装置を構成する起動レバーを作動させ、毎回の遊技を起動・開始させるものがある。かかる遊技機においては、毎回の遊技の起動力を調節するための可変抵抗器を、起動装置に使用することがある。即ち、起動レバーの作動に伴って作用する作用柄を備えた可変抵抗器を起動装置に使用し、起動レバーの作動により、この作用柄を作用（例えば、回動、進退、揺動等）させる。そして、この作用柄の作用状態に応じて、可変抵抗器から出力される抵抗値を調節し、前記起動力を調節することが行われている。
【０００３】
例えば、遊技機の一例を示すパチンコ機は、発射台に配置された遊技球を打撃槌で打撃し、遊技領域に進入させて遊技を行うものである。かかる打撃槌の打撃力（起動力の一例を示す。）は、発射ハンドル（起動装置の一例を示す。）を構成する発射レバー（起動レバーの一例を示す。）の回動量（回動角度）に対応して定められ、通常、この発射レバーの右回転方向への回転角度が大きい程、打撃力が強くなるように設定されている。このような発射ハンドルの中には、発射レバーの回動に伴って回動する回動軸（作用柄の一例を示す。）を有する可変抵抗器が使用されたものが知られている（特開平１１−１６４０４０号公報、特開平１１−１６４０４１号公報等参照）。即ち、発射レバーの回動操作に伴って可変抵抗器の回動軸が回動されると、可変抵抗器から出力される抵抗値が変化し、この抵抗値に対応した信号が発射制御基板に入力される。そして、発射制御基板は、この抵抗値に対応した打撃力で、打撃槌を駆動することにより、打撃力（即ち、遊技球の発射力）の調節を行っている。
【０００４】
一方、遊技機の遊技者は、起動レバーの操作量を微妙に調整して起動力を僅かに調節しながら、遊技を楽しむことがある。例えば、前述のパチンコ機の遊技者は、通常、発射レバーの回動量を微妙に調整して打撃力を僅かに調節し、遊技球の発射力を微妙に調整し、遊技球を遊技領域の希望の部位（狙い個所）に打ち込んでいる。そして、その狙った個所に進入した遊技球の進行具合を観察しつつ、遊技球の進入する狙い個所を更に調整しながら遊技を楽しむのが一般的である。従って、この種の遊技機においては、起動レバー（発射レバー）の操作量（回動量）と、起動力（打撃槌の打撃力）とが的確に対応することが要求される。
【０００５】
【発明が解決しようとする課題】
ところが、この種の遊技機を長期間使用している場合等には、起動レバー（発射レバー）を操作（回動）しても、可変抵抗器から出力される抵抗値に、起動レバー（発射レバー）の操作量（回動量）に正しく対応した変化を生じなくなることがある。
【０００６】
例えば、前述のパチンコ機において、発射レバーを一定量だけ回動させた場合に、前記打撃力が発射レバーの回動量に適応した所望の値とならない場合がある。このようになると、遊技者が発射レバーを一定の角度だけ回動しても、発射される遊技球の発射力がふらつく（不安定化する）こととなり、その結果、遊技領域に進入する遊技球の飛び込み位置が、遊技者の意図に反して左右にぶれ、遊技者の興趣が削がれてしまうことになる。
【０００７】
また、遊技中に、発射レバーの回動角度を固定していても、発射力が強くなったり、弱くなったりして、一定の狙った個所に進入しなくなることもある。これは、遊技機を長期間使用していると、可変抵抗器の回動軸を所定の回動量だけ回動しても、その回動量に対応した可変抵抗器の出力（抵抗値）が初期の状態と比べて変わってくるからである。そして、このように、発射レバーを所定量だけ回動させても、打撃力にむらを生ずることとなると、換言すると、同一回動量において、そのときの発射力が異なってくることとなると、遊技者の興趣が削がれてしまうことになる。また、発射レバーの回動量の多少によって前記打撃力を調整すること自体が困難となり、発射レバーをどれだけ回動させても、打撃力（発射力）を変化させられない事態も発生している。
【０００８】
本発明は、上記問題点に鑑みてなされたものであり、起動装置に使用される可変抵抗器の耐久性を向上させることで、起動レバーの操作量と起動力とが長期間に渡って正しく対応するようにした遊技機を提供することを目的とする。
【０００９】
【課題を解決するための手段】
請求項１記載の遊技機は、遊技球を打撃する打撃槌の打撃力を制御するための可変抵抗器を備えた遊技機において、
前記可変抵抗器が、
平面形状が略円形とされる円板形状部と、該円板形状部の表裏一方の面の周縁部から略円筒状に突出する円筒形状部と、該円板形状部の軸心位置において該円板形状部の表裏を貫通する略円筒状に設けられる軸受け部と、を具備するハウジングと、
前記ハウジング内において、裏面を前記円板形状部に当接させつつ前記軸受け部の周りを周状に取り囲む状態に配置されるとともに、表面と内周面とのうちの少なくとも前記表面で開口する凹部が設けられた絶縁基板と、
前記絶縁基板の表面に対して、前記軸受け部の回りを周状に取り囲む状態に形成される抵抗膜と、
前記絶縁基板の表面に対して、前記抵抗膜よりも内周側において前記軸受け部の回りを周状に取り囲む状態に形成されるとともに、前記絶縁基板の凹部と前記絶縁基板の肉厚方向に沿って連続する凹部を有する電極膜ターミナルが設けられた電極膜と、
前記軸受け部によって回動可能に支持されつつ、発射レバーの回動操作に伴って回動する回動軸と、
前記抵抗膜と前記電極膜とを導通させつつ、前記回動軸の回動に連動して回動する導通手段と、
前記ハウジングから露呈する状態に配置されるとともに、前記電極膜ターミナルに電気的に接続される接続端子と、
導電材料を用いて構成され、表裏面を貫通する貫通孔を備えるとともに、前記絶縁基板の凹部及び前記電極膜の凹部からなる凹部の連続部に挿入される補助板と、
他端側が前記接続端子に電気的に接続されるとともに、一端部が前記貫通孔に挿入された状態とされる接続連絡線と、
を備え、
導電性接着剤によって、前記凹部の連続部内が充填されるとともに前記補助板が隠蔽された状態となるように、該導電性接着剤を前記電極膜ターミナル及び前記凹部の連続部内に保持させることで、前記接続連絡線と前記電極膜ターミナルとの電気的な接続が行われることを特徴とする。
請求項２の発明の遊技機は、請求項１に記載の遊技機において、
前記補助板の外周面に凹凸を備えることを特徴とする。
請求項３の発明の遊技機は、請求項１又は請求項２の何れかに記載の遊技機において、
前記補助板が、前記円板形状部と離間する方向に向かって前記電極膜ターミナルよりも突出する状態に配置されることを特徴とする。
本明細書において参考的に開示する第１の発明（以下、参考発明１という。）に係る遊技機は、遊技を起動するときの起動力を制御するための可変抵抗器を備えた遊技機において、
前記可変抵抗器が、導電膜と、該導電膜と導通させつつ起動レバーの作動に伴って作動する導通手段と、を有すると共に、
前記導通手段が、突端側の摺動面を曲面状に形成した突出状部分を並設して構成されると共に前記導電膜に摺動する突出状摺動部を備えることを特徴とする。
【００１０】
本明細書において参考的に開示する第２の発明（以下、参考発明２という。）に係る遊技機は、遊技球を打撃する打撃槌の打撃力を制御するための可変抵抗器を備えた遊技機において、
前記可変抵抗器が、導電膜と、該導電膜と導通させつつ発射レバーの回動に伴って回動する導通手段と、を有すると共に、
前記導通手段が、突端側の摺動面を曲面状に形成した突出状部分を並設して構成されると共に前記導電膜に摺動する突出状摺動部を備えることを特徴とする。
【００１１】
ここで、参考発明１においては、例えば、起動レバーと、可変抵抗器を構成する導通手段との間に、作用柄を介在させることができる。即ち、参考発明１の可変抵抗器が、導通膜と、起動レバーの作動に伴って作用する作用柄を備えると共に、該導電膜と導通させつつ該作用柄と連動して作動する導通手段を有してもよい。但し、参考発明１においては、起動レバーに導通手段を取着し、起動レバーの作動を導通手段に対して直に伝達してもよい。また、参考発明２においても、例えば、発射レバーと、可変抵抗器を構成する導通手段との間に、回動軸を介在させることができる。即ち、参考発明２の可変抵抗器が、導通膜と、発射レバーの回動に伴って回動する回動軸を備えると共に、該導電膜と導通させつつ該回動軸と連動して回動する導通手段を有してもよい。但し、参考発明２においても、発射レバーに導通手段を取着し、発射レバーの回動を導通手段に対して直に伝達してもよい。
【００１２】
参考発明１の「遊技機」には、起動レバーを用いて遊技を起動させる種々の遊技機が含まれ、例えば、パチスロ機、テレビゲーム機等の遊技機も包含できる。ここで、参考発明１を充足する「テレビゲーム機」としては、例えば、テレビ画面や種々のディスプレイ画面に画像表示等を行う遊技機のうちで、起動レバー（操作杆等）によって起動力の調節がなされるものを例示できる。例えば、テレビ画面等にパチンコゲームを表示するテレビゲーム機では、起動レバー（操作杆等）によって、遊技球の打撃力が調節される。また、テレビ画面等に格闘技、ボールゲーム（野球、サッカー等）等を表示するテレビゲーム機では、起動レバー（操作杆等）によって、パンチ力、打撃力、キック力等が調節される。
【００１３】
参考発明１及び参考発明２は以下の観点に鑑みてなされたものである。例えば、パチンコ機に使用される可変抵抗器の中には、導電膜と、該導電膜と導通させつつ回動する導通手段と、を備えるものがある。また、この導通手段は、例えば、端子ホルダとこの端子ホルダから延設された電極ブラシとを備えている。そして、この種の可変抵抗器では、電極ブラシの先端部にある摺動部を導電膜の表面に摺動させることにより、可変抵抗器の接続端子から出力される抵抗値を変化させている。また、この可変抵抗器の中には、前記導電膜として、第一導電膜（例えば、抵抗膜）と第二導電膜（例えば、電極膜）とを備えると共に、前記導通手段として、第一導電膜側の第一電極ブラシと、第二導電膜側の第二電極ブラシとを備えるもの（以下、「タイプ１」という。）がある。尚、以下の記述において、第一導電膜及び第二導電膜の両表面を「両膜面」と称したり、単に「膜面」と称することがある。
【００１４】
ところで、従来品の電極ブラシは、金属板を櫛状に成形した板バネ状のものであり、この電極ブラシの先端に形成された摺動部は、矩形状の断面を備える。このため、各摺動部において膜面との接点が矩形状断面の端部（端縁）となることが多いため、この接点が狭く、しかも、摺動部がその鋭部で膜面と接する可能性が高くなる。従って、摺動部によって膜面を傷つけ易くなり、このため、膜面からの摩耗粉の発生も多くなる。この結果、この摩耗粉が摺動部と膜面との間に挟み込まれ、摺動部と膜面の間の電気的導通が不安定となり易い。そして、可変抵抗器を長期間使用している場合等には、発射レバーを回動しても、可変抵抗器から出力される抵抗値に、発射レバーの回動量（回動角度）に正しく対応した変化を生じなくなる、といった不具合を生ずることになる。例えば、長期間使用している遊技機においては、摺動部と膜面との間に摩耗粉が挟み込まれ、可変抵抗器から出力される抵抗値が、発射レバーの回動量（回動角度）に対応した値よりも大きくなることがある。また、同一の回動量だけ、発射レバーを操作しても、操作する毎に、摺動部と膜面との間に挟み込まれる摩耗粉の量が変化し、接触抵抗の値にふらつきを生ずること等があるからである。ここで、「接触抵抗」とは、導電膜の表面と、電極ブラシとの間の抵抗であり、その値は零に近い程、望ましい。
【００１５】
一方、参考発明１や参考発明２では、導通手段の突出状摺動部が曲面状の摺動面を有するため、この突出状摺動部が膜面を摺動する際に、膜面を傷つけたり、摩耗させることを低減する。また、仮に膜面に汚れ、摩耗粉等が存在しても、摺動面が曲面状に構成されているため、膜面と突出状摺動部との間に空隙が生じ、摩耗粉等がその空隙に移動することができる。このため、摩耗粉等が膜面と突出状摺動部との間に入り込み難くなり、膜面を傷つけたり、摩耗させる可能性が低くなり、突出状摺動部における接触抵抗が小さくかつ安定する。従って、参考発明１や参考発明２によると、可変抵抗器から出力される抵抗値に、発射ハンドルの回動量（回動角度）に正しく対応した変化を生じさせることができる。尚、以上の説明は、突出状摺動部の摺動方向を円周方向としてなされているが、この摺動方向は円周方向に限定されない。例えば、前述した「作用柄」は、起動レバーの作動に伴って作用するものであれば、その作用態様は特に問わない。例えば、起動レバーの作動（回動）に伴って回動する回動軸状の作用柄の他に、起動レバーの作動に伴って、前後若しくは左右等に進退したり、揺動する作用柄であってもよい。このため、突出状摺動部の摺動方向は、例えば、直線方向等であってもよい。
【００１６】
参考発明１又は参考発明２においては、突出状摺動部の具体的な構成は特に問わず、例えば、（ａ）複数の線材を山形に湾曲させて構成することができる。即ち、膜面の幅方向（摺動方向と直角方向）に並設されることになる複数の線材を、山形に湾曲させて構成されるものであってもよい。また、（ｂ）膜面の幅方向に並設されることになる複数の線材に、球面、楕円球面、半球面、若しくは半楕円球面を備えた突出状部分を形成したり、このような突出状部分を後付けし、突出状摺動部を構成することもできる。
【００１７】
また、参考発明１又は参考発明２の突出状摺動部において、突出状部分の数は複数であれば特に問わないが、多数（例えば、６個〜１２個）とすることが望ましい。突出状部分の数が多数であれば、その分、突出状摺動部と膜面との間の接点数が多くなる。そして、接点数が多くなると、膜面の幅方向に沿って広範囲に接点を置くことができる。従って、仮に、特定の突出状摺動部と膜面との間に摩耗粉が挟まれても（一部の接点に摩耗粉が付着していても）、接触抵抗の増加を、他の接点でカバーすることができるからである。
【００１８】
特に、複数の突出状部分を横一列に隣同士接する様に多数配列すると、接点を膜面の幅方向に沿って高密度に配置できるため、より好適である。例えば、導通手段が端子ホルダと電極ブラシとを備える場合においては、線材を横一列に隣同士接する様に多数本配列して突出状摺動部を構成することが好ましい。具体的には、端子ホルダに対して、多数の線材を密接配列させるように、熔接又はロー付け等により延設して電極ブラシを構成する。そして、電極ブラシの先端部において、膜面と摺動する側を、例えば、平滑な山形に湾曲させて、突出状摺動部を構成する。これによると、突出状摺動部における膜面との摺動が円滑になり、その接点個所が多くなり、各接点当たりの電流量を少なくできる。また、各接点における接触抵抗値の変化が標準化され、滑らかな抵抗値変化が得られる等のメリットがある。
【００１９】
また、参考発明１又は参考発明２の可変抵抗器には、前述のタイプ１の可変抵抗器の他に、１つの導電膜と、この導電膜の表面と摺動する突出状摺動部を有する導通手段と、を備えるタイプ（以下、「タイプ２」と称することがある。）の可変抵抗器も含まれる。尚、タイプ１においては、導通手段が、第一導電膜の表面に摺動する摺動部と、第二導電膜の表面に摺動する摺動部とを備えるが、参考発明１においては、両摺動部のうちの少なくとも一方が、参考発明１又は参考発明２の「突出状摺動部」であればよい。即ち、両摺動部が、参考発明１又は参考発明２の「突出状摺動部」であることがより好ましいが、一方の摺動部が「突出状摺動部」で、他方の摺動部が従来型の「摺動部」であっても、可変抵抗器の経時的劣化の度合いを従来品に比べて改善できる点で、参考発明１又は参考発明２の目的を達成できるからである。
【００２０】
特に、タイプ１の可変抵抗器においては、第一導電膜及び第二導電膜の間に導電率の差異を設けるのが一般的であり、例えば、一方を高い導電率を備えた導電体で構成した電極膜とし、他方を低い導電率を備えた導電体で構成した抵抗膜とすることがある。この場合に、低い導電率を備える導電膜においては、接触抵抗の影響が大きいため、この低い導電率の導電膜に摺動する摺動部のみを、参考発明１又は参考発明２の「突出状摺動部」としてもよい。
【００２１】
参考発明１又は参考発明２の「突出状摺動部（突出状部分）」を線材で構成する場合に、その材質としては、電気抵抗が小さく、酸化され難い等化学的に安定で、耐摩耗性が高く、しかもコスト上許容できる金属（合金を含む）を選択するのが望ましい。殊に、後述する参考発明３の如く、化学的安定性、耐摩耗性等に特に優れた貴金属系材料を選択することが、より好適である。この貴金属系材料としては、例えば、貴金属の他に、銀−パラジウム系合金、金−パラジウム系合金等の貴金属合金等を例示できる。また、後述する参考発明３の貴金属系材料で構成される「突出状摺動部」には、摺動面を含む表面側のみを貴金属系材料で構成したクラッド材や、摺動面側を貴金属系材料で構成し、その反対側を、貴金属以外の金属製（例えば、卑金属製）のばね材としたクラッド材等も含まれる。更に、後述する参考発明３の貴金属系材料で構成される「突出状摺動部」には、貴金属材料と貴金属以外の金属（例えば、銅）の合金等も含まれる。
【００２２】
参考発明１又は参考発明２の「突出状部分」の断面形状（軸線に垂直な横断面形状）は、円形断面又は楕円形断面等の輪郭線が滑らかな形状とするとよい。なかんずく、膜面に接する側の輪郭線を滑らかな形状とすることが好ましい。但し、この「突出状部分」の全体の断面を、円形断面又は楕円形断面等の輪郭線が滑らかな断面形状とすることは必ずしも必要とされない。例えば、摺動面側の断面を、円形断面又は楕円形断面等の輪郭線が滑らかな断面形状とし、その反対側の断面形状をその他の断面形状とすることもできる。例えば、前述の如く、摺動面側を貴金属系材料で構成し、その反対側を貴金属以外の金属製（例えば、卑金属製）のバネ材で構成するクラッド材とした場合は、貴金属側を半円断面形状や半楕円断面形状等の輪郭線が滑らかな形状とし、貴金属以外の金属側を矩形断面としてもよい。
【００２３】
参考発明１又は参考発明２の「導通手段」は、全体が導電性材料で構成されることが望ましい。そして、この導通手段が、端子ホルダと、端子ホルダから延設された電極ブラシとを備える場合には、例えば、端子ホルダを、導電性金属材からなるバネ材（例えば、リン青銅製）で構成し、突出状摺動部を備える電極ブラシを貴金属系材料で構成する態様を例示できる。
【００２４】
本明細書において参考的に開示する第３の発明（以下、参考発明３という。）に係る遊技機は、参考発明１又は参考発明２の遊技機において、前記突出状摺動部が、貴金属系材料で構成される線材を複数密接させて構成されることを特徴とする。
【００２５】
参考発明３によると、突出状摺動部を貴金属系材料で構成することで、突出状摺動部の電気抵抗を確実に小さくできると共に、突出状摺動部の化学的安定性や耐摩耗性を確実に向上させることができる。また、線材を複数密接させることで、突出状部分、即ち、導通手段と膜面との接点を、膜面の幅方向に沿って高密度に配置できる。
【００２６】
本明細書において参考的に開示する第４の発明（以下、参考発明４という。）に係る遊技機は、遊技球を打撃する打撃槌の打撃力を制御するための可変抵抗器を備えた遊技機において、
前記可変抵抗器が、第一導電膜と、該第一導電膜よりも内周側に配置される第二導電膜と、該第一導電膜及び該第二導電膜を導通させつつ発射レバーの回動に伴って回動する導通手段と、を有すると共に、
前記第二導電膜と、前記第二導電膜及び前記可変抵抗器の該第二導電膜側の接続端子を電気的に接続するための接続連絡線と、の間に補助板を配設したことを特徴とする。
【００２７】
ここで、参考発明４においても、例えば、発射レバーと、可変抵抗器を構成する導通手段との間に、回動軸を介在させることができる。即ち、参考発明４の可変抵抗器が、第一導電膜と、該第一導電膜よりも内周側に配置される第二導電膜と、発射レバーの回動に伴って回動する回動軸を備えると共に、該第一導電膜及び該第二導電膜を導通させつつ該回動軸と連動して回動する導通手段を有してもよい。但し、参考発明４においても、発射レバーに導通手段を取着し、発射レバーの回動を導通手段に対して直に伝達してもよい。
【００２８】
前述の如く、可変抵抗器は、導電膜と、該導電膜と導通させつつ回動する導通手段と、を備えている。また、この導通手段は、例えば、端子ホルダと、該端子ホルダから延設された電極ブラシとを備えている。更に、この電極ブラシの先端部にある摺動部を膜面に対して摺動させることにより、可変抵抗器の接続端子から出力される抵抗値を変化させている。そして、この可変抵抗器としては、前記導電膜として、第一導電膜と、第一導電膜の内側に配置される第二導電膜とを備えると共に、前記導通手段として、第一導電膜側の第一電極ブラシと、第二電膜側の第二電極ブラシとを備えるもの（前述のタイプ１の可変抵抗器）がある。更に、この種の可変抵抗器においては、内側に配置される第二導電膜と、可変抵抗器の第二導電膜側の接続端子とを、接続連絡線によって電気的に接続することがある。
【００２９】
ところが、従来品においては、図２１（ａ）及び（ｂ）に示すように、接続連絡線７０Ｂの一端部を、第二導電膜６９Ｂの表面上に配置した状態で、この第二導電膜６９Ｂ上に導電性接着剤７２Ｂ（点線で図示）を塗布して硬化させ、接続連絡線７０Ｂの一端部と第二導電膜６９Ｂとを接続していた。従って、この導電性接着剤７２Ｂで構成される接着部７２Ｃの接着面積を十分に確保することは困難であり、この接着部７２Ｃの強度は必ずしも十分ではなく、例えば、この接着部７２Ｃや接続連絡線７０Ｂの周縁部７２Ｄ等で亀裂を生ずることがある。この結果、例えば、発射レバーの回動操作に伴って、可変抵抗器の回動軸が回動すると、この接着部７２Ｃに発生した亀裂が拡大したり、縮小することがあり、やがては第二導電膜６９Ｂと接続連絡線７０Ｂ間の導通がなくなってしまうことがある。そして、発射レバーを回動しても、可変抵抗器の接続端子（出力端子）から出力される抵抗値が、発射レバーの回動量（回動角度）に対応した変化をしなくなってしまう、といった不具合を生ずることになる。例えば、同一の回動量だけ、発射レバーを操作しても、操作する毎に、亀裂が拡大したり、縮小し、可変抵抗器から出力される抵抗値に、ふらつきを生ずることがある。また、発射レバーの回動量を一定の回動量に固定しても、亀裂が拡大したり、縮小し、可変抵抗器から出力される抵抗値に、ふらつきを生ずること等があるからである。
【００３０】
一方、参考発明４では、第二導電膜と接続連絡線との間に補助板を配設するため、第二導電膜と接続連絡線との電気的な導通を確実なものとできる。例えば、第二導電膜に対して接続連絡線の一端部を接着する際に、第三の部材としての補助板を用いるため、接着部に十分な接着面積を確保でき、この接着部の強度を向上させることができる。この結果、可変抵抗器の接続端子から出力される抵抗値を、発射レバーの回動量（回動角度）に正確に対応させることができる。尚、本発明の「補助板」の構成素材は、第二導電膜と接続連絡線との電気的な導通をより確実なものとするために、導電材料（例えば、銅材やアルミ材）とすることが好ましい。また、参考発明４においても、第一導電膜及び第二導電膜の間に導電率の差異を設けるのが一般的であり、例えば、一方を高い導電率を備えた導電体で構成した電極膜とし、他方を低い導電率を備えた導電体で構成した抵抗膜とすることがある。更に、参考発明４の遊技機が、前述の参考発明１〜参考発明３の何れかの発明の特徴を兼ね備えていてもよい。
【００３１】
【発明の実施の形態】
以下、本発明を具体化した実施態様について図面を参照して説明する。ここでは遊技機の一具体例として、いわゆる「フィーバー機」と呼ばれるタイプの第一種パチンコ機（弾球遊技機）を例にとり、先ず、その構造を図１〜図１１を参照して説明する。
【００３２】
（１）パチンコ機１の前面構造
本パチンコ機１の前面部は、図１に示すように、本体枠２と、中枠３と、前面枠４と、上皿部５と、下皿部６と、施錠装置７とを備える。このうち、本体枠２は、木製の板状体を略長方形の額縁状に組み立て固着したものである。また、中枠３は、略全体がプラスチック製で、枠体部（図示略）と下板部（図示略）とを有して本体枠２の内周側に嵌合し取り付けられている。ここで、枠体部は、上端から下方へ中枠３全体の略２／３程度に略長方形の額縁状に形成され、上端部には、開口部４ａの上端部の円弧部分に沿って枠飾りランプが設けられ、これらに対応して、枠飾りランプ基板４ｇ（図３参照）が設置されている。それらの左側上方には、ストップ表示ＬＥＤ及びストップ表示ＬＥＤ基板４ｉ（図３参照）が設けられている。
【００３３】
また、下板部は、下端から上方へ中枠３全体の略１／３程度を占め、左側には、上皿部５に形成されたスピーカ面５ａに対応すべく、遊技状態に応じた効果音その他の音（以下、音声情報等という。）を発生させるスピーカ１３７が配設され、略右側には、遊技球を発射する発射装置ユニットへ上皿部５に貯留された遊技球を供給する供給装置等（図示略）が設けられている。更に、下方には、下皿部６が設けられ、右端中央には施錠装置７が設けられている。
【００３４】
下皿部６は、灰皿６ｃや下皿球抜きレバー６ｄ等を備えて、プラスチック製の下皿外枠６ｂで、皿部の外側を覆っている。また、パチンコ機１の内部から遊技球を排出するための排出口６ａが開設され、右端に発射装置を制御する発射ハンドル１０が設けられている。この発射ハンドル１０は、把持部１０ｄと、発射レバー５５を備え、把持部１０ｄの先端に遊技者がタッチしていることを検出するタッチスイッチ１０ａが装着されている。また、この発射ハンドル１０の近傍には、発射停止を一時的に指令する発射停止スイッチ１０ｂが配置されている。尚、発射ハンドル１０の詳細については、後述する。また、施錠装置７は、正面視すると、鍵穴を備えた略長方形状を呈し、前面枠４を閉鎖した場合に施錠するためのものである。
【００３５】
前面枠（主要部がプラスチック製）４は、遊技盤８を前方から視認すべく、遊技盤８に形成された遊技領域９の形状に対応して上側が略円弧状を呈し、全体が略弾丸形状に開設された開口部４ａを有している。そして、その裏面には、開口部４ａに応じてガラス板が嵌められた略長方形状のガラス枠（図示略）が装着されている。また、この前面枠４は、パチンコ機１の前面全体の２／３を占め、中枠３の左端に軸着され開閉可能に形成されている。
【００３６】
上皿部５は、前面枠４の下側で、中枠３の左端に軸着され開閉可能に形成されている。また、皿外縁部５ｂの上面には、球抜きボタンや遊技球貸出・返却ボタン等が配設されている。更に、パチンコ機１の内部から遊技球を排出するための排出口５ｃが開設されている。また、左端には、複数の長孔を有するスピ−カ面５ａが形成され、その裏面には、音量スイッチ基板が設けられている。そして、パチンコ機１の左端側には、プリペイドカードユニット２ｐが装着されている。
【００３７】
（２）遊技盤８の表面構造
次に、遊技盤８の表面構造を説明する。この遊技盤８は、図１に示すように、略長方形の木製の板状体であって、中枠３により保持されている。また、遊技盤８の表面に設けられた外レール１４と、内レール１５とにより略円形状に形成される遊技領域９内に、特別図柄表示装置１６と、第一種始動口（普通電動役物）１７と、変動入賞装置１８と、左入賞口１９と、右入賞口２０と、多数の障害釘１１と、一対の風車２４，２５等が配設されて、構成されている。
【００３８】
特別図柄表示装置１６は、遊技領域９の略中央部に配置され、センター役物１２と、液晶表示盤１２ａとを備えている。この液晶表示盤１２ａの映像画面は、略長方形状を呈しており、その表示画面上に、１又は複数の特別図柄を所定の形態で次々と変動させながら表示した後、確定表示する特別図柄表示領域が形成されている。即ち、左特別図柄を表示する左特別図柄表示領域、中特別図柄を表示する中特別図柄表示領域、及び右特別図柄を表示する右特別図柄表示領域が、横一列に設定された配置方向においてこの順序で並んで形成されている。
【００３９】
各特別図柄表示領域は、これらの表示領域の配置方向と略直交する向き若しくは略平行方向、この場合、上下方向若しくは水平方向に図柄変動方向が設定され、その向きで変動しているように識別情報としての複数の図柄（特別図柄）が順次表示されていく。また、この液晶表示盤１２ａは、遊技球が第一種始動口（普通電動役物）１７に入球することにより、その映像画面の前記表示領域に表示される各特別図柄をそれぞれ変動させて確定表示させるものである。そして、図柄が、「７、７、７」の如く、同一図柄で揃って確定表示すると、変動入賞装置１８に配設された大入賞口２３が開放される。また、センター役物１２は、液晶表示盤１２ａの前面周辺部に額縁状に突設して装着され、普通図柄表示装置１３と、特別図柄保留表示ＬＥＤ１６ａと、ステージ１２ｅと、ステージ飾り通路とを備えている。
【００４０】
普通図柄表示装置１３は、センター役物１２の上部中央に配置され、７セグメント表示器１３ｂと、普通図柄保留表示ＬＥＤ１３ｃとを備えている。このうち、７セグメント表示器１３ｂは、１〜９の奇数数字を変動表示させるもので、センター役物１２の下側部の左右の普通図柄作動通過口２６、２７の何れかを遊技球が通過することにより変動して、所定時間経過後に１種類の奇数数字が確定表示される。そして、例えば、「７」で確定表示すると、第一種始動口（普通電動役物）１７のチューリップ型開放扉が、第一種始動口開口ソレノイド１７ｃ（図３参照）により、所定時間（例えば、０．５秒）拡開口される。
【００４１】
普通図柄作動通過口２６、２７と通過口出口間には、それぞれ図示しない通過筒部が設けられている。そして、前記普通図柄作動通過口２６、２７へ入球した遊技球は、内部に配設された左、右普通図柄作動通過口通過検知器２６ｓ、２７ｓで検出される（図３参照）。更に、左、右普通図柄作動通過口通過検知器２６ｓ、２７ｓの何れかの検出により、普通図柄表示装置１３における７セグメント表示器１３ｂの変動表示が開始される。
【００４２】
特別図柄保留表示ＬＥＤ１６ａは、センター役物１２の上部中央に配設され、４個の赤色ＬＥＤで構成されている。これは、第一種始動口（普通電動役物）１７に入球した遊技球の数を最多４個まで保留とし、入球ごとに順次点灯し、シフト（追加）表示するものである。そして、次の特別図柄の変動が開始するたびに、未始動回数が消化され、１個の特別図柄保留表示ＬＥＤ１６ａは消灯される。
【００４３】
第一種始動口（普通電動役物）１７は、センター役物１２の中央真下に配設されている。また、変動入賞装置１８は、上記第一種始動口（普通電動役物）１７の下方に配設され、大入賞口２３と、左下入賞口２１と、右下入賞口２２と共に取り付けられている。更に、変動入賞装置１８は、略中央に形成され、帯状に開口された大入賞口２３と、この大入賞口２３を開放・閉鎖する開閉板２３ｂと、この開閉板２３ｂを開閉するための大入賞口ソレノイド２３ｃと、特定領域と、連動杆（図示略）と、特定領域開閉シャッターと、この特定領域開閉シャッターを作動させるための特定領域開閉ソレノイドと、カウント検知器２３ｓと、特定領域通過検知器２３ｖ（図３参照）と、裏箱と、大入賞口中継基板等から構成されている。
【００４４】
左下入賞口２１の下方では、複数個の左下入賞口ＬＥＤが左下入賞口ＬＥＤ基板に取り付けられると共に、飾りレンズによって被覆されている。同様に、右下入賞口２２の下方では、複数個の右下入賞口ＬＥＤが右下入賞口ＬＥＤ基板に取り付けられると共に、飾りレンズによって被覆されている。
【００４５】
ファール球防止部材２８は、内レール１５の先端部に取り付けられ、返しゴム２９は、ファール球防止部材２８の位置とは反対側の、遊技盤８の右半分側の位置であって、外レール１４に沿って嵌合状に取り付けられている。
【００４６】
左入賞口１９及び右入賞口２０はそれぞれ、特別図柄表示装置１６の左右両側の下方に配置されている。そして、その内部にはそれぞれ、左入賞口通過検知器１９ｓ、右入賞口通過検知器２０ｓが設けられている（図３参照）。また、左入賞口１９及び右入賞口２０はそれぞれ、特別図柄表示装置１６から左右斜め下方に配置されている。尚、多数の障害釘１１は、以上説明した各装置との位置バランスを考慮して、遊技領域９にパチンコ遊技に適するべく、配設されている。
【００４７】
（３）パチンコ機１の裏面構造
本実施例の遊技機１の裏面構造について、図２を中心にして説明する。前面枠４は、図１に示すように、中枠３にあって前面枠４の上下端の位置に設けられた一対のヒンジ３０により、開閉可能に支持されている。また、機構盤３１は、図２に示すように、中枠にあって機構盤３１の上下端の位置に設けられた一対のヒンジ３２により、開閉可能に支持されている。更に、遊技盤８は、中枠３の裏面側から着脱可能に取り付けられている。また、上端側にあるヒンジ３２の配置位置からみて左側には、タンク球切れ検知器３３ｓをタンク底部に備えた賞球タンク３３と、この賞球タンク３３に接続されるタンクレール３４とが取り付けられている。更に、このタンクレール３４の右側には、球抜きレバー３５が設けられ、その下流側には、補給球切れ検知器３６が、更に、その下流側には、賞球払出装置３７が配設されている。
【００４８】
また、遊技球の振分部が賞球払出装置３７の下流側に設けられている。そして、タンクレール３４の下側には、特別図柄表示装置１６における液晶表示盤１２ａの表示態様を制御する特別図柄制御部１１０（図３参照）を格納した蓋付きの裏ケース４１が、着脱可能に設けられている。また、この裏ケース４１の下側には、後述する主制御部９０（図３参照）を格納した主制御基板ケース４２が、着脱可能に設けられている。更に、主制御基板ケース４２の下側には、発射装置制御部４３ａ（図３参照）を格納した発射装置制御基板ケース４３と、発射中継基板４３ｂ（図３参照）とが設けられている。また、機構盤３１の右下方部には枠制御基板ケース４４が設けられ、この枠制御基板ケース４４には、「補給球詰まり」、「下皿部満タン」、「主電源圧異常」、「発射停止」、「主制御基板通信異常」、「賞球モータ異常」等を７セグメントＬＥＤで表示する枠状態表示器１１７を備えた枠制御部１００（図３参照）が格納されている。
【００４９】
一方、機構盤３１の右上端部には、（１）ヒューズボックス４５、電源スイッチ４６ａ及び電源ターミナル基板４７により構成される電源ユニット４６（図３）と、大当たり情報、発射装置制御情報、球切れ情報、扉開放情報、賞球情報、球貸し情報用等の遊技機の遊技状況を外部に送信するための外部接続端子を備えた外部接続端子基板４８等、が設けられている。また、外部からの電力の供給を受けるための電源ケーブル５０用の電源ケーブル端子５０ａが、外部接続端子基板４８の下側部に配設されている。更に、枠制御基板ケース４４からは、接続ケーブル５１が上方へ延出され、この接続ケーブル５１は、ＣＲ電源ケーブル５２を備えたプリぺイドカードユニット２ｐに接続されている。また、機構盤３１の略中央下端部には、排出口６ａを構成する排出口部材５３が設けられている。
【００５０】
（４）電子制御装置
本実施例のパチンコ機１の電子制御装置８０について、図３〜図５を参照して説明する。この電子制御装置８０は、図３に示すように、主制御部９０と、枠制御部１００と、特別図柄の表示制御を行う特別図柄制御部１１０と、を含んで構成されている。
【００５１】
主制御部９０は、ＣＰＵ９１とＲＡＭ９２とＲＯＭ９３とを有する主回路部９０ａと、入出力回路部９４と、を内部バス９５ａにより相互に接続したものである｛図４（ａ）、図１０及び図１１参照｝。そして、ＣＰＵ９１は、ＲＯＭ９３に格納された制御プログラムにより、内蔵ＲＡＭ９２をワークエリアとしてパチンコ機１の遊技を制御する。また、主制御部９０は、特別図柄制御部１１０と共に、表示態様制御を行う。しかも、ＲＯＭ９３に記憶された当否判定プログラムにより、ＣＰＵ９１が主体となって当否判断制御を行う。
【００５２】
主制御部９０は、各種検知器からの出力信号に基づいて遊技状態を判断し、また、その遊技状態に基づいて当否判定を行うと共に、判定内容に対応する図柄表示態様で、普通図柄表示制御を行うべくデータを読み込み、特別図柄表示装置の表示態様を定める指令信号を特別図柄制御部１１０へ送信する。例えば、主制御部９０は、第一種始動口（普通電動役物）入賞検知器１７ｓ、上記した各種入賞検知器１９ｓ〜２３ｓ、２３ｖ等の検知結果や、特別図柄当否判定乱数の取得値等を使用して、「遊技が行われていない客待ちの状態」、「遊技は行われているが始動入賞がない状態（変動準備状態）」、「始動入賞があった状態」、及び「特別遊技状態」等を判断する。
【００５３】
第一種始動口（普通電動役物）入賞検知器１７ｓにより、始動入賞が検知されると、乱数値に基づいて当否判定が行われ、その判定結果に基づいて特別図柄の変動（リーチ表示態様を含む）、又は確定等の表示態様制御のためのデータが読み込まれる。このデータは、特別図柄制御部１１０を作動指令対象とする指令信号として、共有バス９５を介して送信される。
【００５４】
発射中継基板４３ｂには、タッチスイッチ１０ａ、発射スイッチ１０ｃ、発射停止スイッチ１０ｂの出力が接続されている。また、左普通図柄作動通過口検知器２６ｓ、右普通図柄作動通過口検知器２７ｓ、第一種始動口（普通電動役物）入賞検知器１７ｓ、カウント検知器２３ｅ、特定領域通過検知器２３ｖ、左入賞口通過検知器１９ｓ、右入賞口通過検知器２０ｓ、左下入賞口通過検知器２１ｓ、右下入賞口通過検知器２２ｓの検知信号は、主制御部９０へ送信されるようになっている。更に、補給球切れ検知器３６等は、端子基板４９を経由して前記枠制御部１００へ接続され｛図４（ｂ）参照｝、発射中継基板４３ｂの出力端子は、発射装置制御部４３ａと接続されている。
【００５５】
枠制御部１００は、主制御部９０と同様な演算回路を含んで構成されている。
即ち、主回路部１０１及び出力回路部１０４を含んだ第１周辺基板１０８で構成され｛図４（ｂ）参照｝、その入力端子が入出力回路部１０４と接続されると共に、出力端子は入出力回路部１０４から端子基板４９、ランプ制御部１２０を経由して枠飾りランプ基板４ｇ、各種ＬＥＤ基板４ｄ、４ｆ、音量スイッチ基板１３６、普通図柄表示装置基板１３ｄ、各種ソレノイド１７ｃ、２３ｃ等、サウンドジェネレーター１３５｛図５（ａ）参照｝と接続されたり、直接、賞球払出装置３７、発射装置制御部４３ａ等と接続されている。
【００５６】
賞球動作は、以下の手順で実行される。即ち、主制御部９０は、（１）遊技球がカウント検知器２３ｓ又は特定領域通過検知器２３ｖを通過したら１５個の賞球個数データを、（２）遊技球が第一種始動口（普通電動役物）１７を通過したら６個の賞球個数データを、（３）遊技球が、左入賞口１９、右入賞口２０、左下入賞口２１、右下入賞口２２に入賞したことを、各々の入賞口検知器１９ｓ〜２２ｓが検知した場合においては１０個の賞球個数データを、枠制御部１００に対してその検知順に、枠制御部１００を作動指令対象とする指令信号として送信する（即ち、固有賞球個数は、ここでは、６個、１０個或いは１５個である。）。そして、枠制御部１００は、主制御部９０からの賞球個数データを受け取り、賞球払出装置３７への賞球払出信号の送信により賞球払出装置３７を作動させる。
【００５７】
特別図柄制御部１１０は、ＶＤＰ（ビデオディスプレイプロセッサ）１１６を含んだ第２周辺基板１１８で構成されている。また、ＶＤＰ１１６は、演算回路構成要素として、ＣＰＵ１１１と、ＲＡＭ１１２と、ＲＯＭ１１３と、入出力ポート１１４等を有し、この演算回路構成要素はバス１１５により相互に接続して構成され、入出力ポート１１４において共有バス９５に接続されている。更に、入出力ポート１１４には、液晶表示盤１２ａが接続されている｛図５（ａ）参照｝。また、ＶＤＰは、ＣＰＵ１１１でもってＲＯＭ１１３に格納された制御プログラムにより、ＲＡＭ１１２をワークエリアとして主制御部９０から送信されてきた指令コマンドに基づき表示基板である液晶画面に表示可能な信号に演算し、解析され、その解析に基づいて特別図柄表示装置１６（液晶表示盤１２ａ）の作動制御（即ち、表示装置の表示制御）を行っている。
【００５８】
ランプ制御部１２０は、特別図柄制御部１１０と同様な演算回路構成要素１２１〜１２４を含んだ第三周辺制御基板１２８で構成され、入出力ポート１２４｛図５（ｂ）参照｝において共有バス９５に接続されている。この入出力ポート１２４には、枠飾りランプ基板４ｇ、各種ランプ基板４ｈ、４ｉ、各種ＬＥＤ基板４ｄ、４ｆ、２１ｆ、２２ｆ等が接続されている。これらの各種基板にランプ或いはＬＥＤが、１個又は複数個接続されている。そして、これらのランプ等は、ゲームの進行に対応して点灯・消灯または点滅する。
【００５９】
音声制御部１３０は、特別図柄制御部１１０と同様な演算回路構成要素１３１〜１３４、及びサウンドジェネレーター１３５を含んだ第四周辺制御基板１３８で構成され、入出力ポート１３４において共有バス９５に接続されている｛図５（ｃ）参照｝。また、サウンドジェネレーター１３５は、格納された音声データと音声モジュールとに基づいて、音量スイッチ基板１３６を介して接続されたスピーカー１３７より、ゲームの進行に対応した各種の音声出力を行う。更に、入出力ポート１３４に接続された音量スイッチ基板１３６は、図示しない音量スイッチの操作に伴い、出力音声の設定を行うものである。
【００６０】
枠飾りランプ基板４ｇ等の各種ランプやサウンドジェネレーター１３５は、特別図柄制御部１１０の制御による特別図柄の変動・停止表示態様、リーチ発生の有無、リーチ表示態様、特別遊技態様、及び遊技モード（確率変動、時短等）等に応じて、その態様は制御される。その制御信号は、ランプ制御部１２０或いは音声制御部１３０を作動指令対象とする指令信号として、前記共有バス９５を介して、主制御部９０又は特別図柄制御部１１０（インテリジェント制御の場合）から送信される。尚、特別図柄制御部１１０、ランプ制御部１２０及び音声制御部１３０は、主制御部９０や枠制御部１００と同様の回路から構成されるものとすることができる。即ち、主回路部と入出力回路部とから構成されるものとし、内部にＲＯＭ、ＲＡＭが内蔵されたＣＰＵを用いることもできる。
【００６１】
遊技機１の遊技の進行を司る制御方法は、主制御部９０により遊技の基本制御を実行し、該主制御部９０の基本制御による基本実行指令は、入出力回路部９４を経て、特別図柄制御部１１０、ランプ制御部１２０、音声制御部１３０へ送信される。そして、該特別図柄制御部１１０、ランプ制御部１２０、音声制御部１３０は、基本実行指令に基づき、該基本実行指令で定められた作動を、定められた作動態様により実行する。
【００６２】
例えば、前記主制御部９０の内蔵ＲＡＭ９２に格納された各種メモリに対応する作動を実行するに要する時間だけ所定の表示動作、音声出力、ランプの点灯／点滅等を実行し、その所定時間経過後、当たりの場合は対応するソレノイド（例えば、大入賞口の開閉板開閉用ソレノイド２３ｃ）を駆動したりする。この場合、主制御部９０は、タッチスイッチ１０ａ、発射スイッチ１０ｃ及び発射停止スイッチ１０ｂを除く各種検知器からの信号と、主制御部９０のＣＰＵで発生させている乱数とにより、遊技を制御する。そして、その制御した結果を、特別図柄制御部１１０、ランプ制御部１２０及び音声制御部１３０へ作動信号として送信しており、逆に、特別図柄制御部１１０、ランプ制御部１２０及び音声制御部１３０から主制御部９０へは送信しないし、送信できないように構成している。
【００６３】
以下に、主制御部９０により実行されるメインジョブについての一例を、図６を参照して説明する。これは、主制御部９０のＲＯＭ９３（図１１）に格納されたプログラムに基づき、ＣＰＵ９１により実行されるジョブの一例である。即ち、スタックポインタを内蔵ＲＡＭ９２の所定のアドレスに設定した後｛Ｓ（ステップ）１０｝、初期化終了の判定が行われる（Ｓ２０）。初期化が終了していれば（Ｓ２０：ＹＥＳ）、ＬＥＤジョブ（Ｓ３０）からスイッチジョブ（７０）までのジョブが実行される。また、初期化が終了していなければ（Ｓ２０：ＮＯ）、初期化ジョブ（Ｓ１９０）が実行される。
【００６４】
ＬＥＤジョブ（Ｓ３０）においては、普通図柄及び普通図柄未始動回数の表示態様データや、特別図柄未始動回数の表示態様データ等が出力される。また、等速乱数ジョブ（Ｓ４０）では、内蔵ＲＡＭ９２の特別図柄当否判定乱数メモリや汎用カウントメモリ等が更新される。更に、非等速乱数ジョブ（Ｓ５０）では、外れ普通図柄乱数メモリ（図示略）が更新される。尚、汎用カウントメモリ（図示略）は、例えば、ユーザーリセットごとの「０」〜「２５５」の値の作成や、飾りジョブの実行等に使用される。
【００６５】
音声ジョブ（Ｓ６０）では、音楽や音声に関するデータの読み込みが行われ、スイッチジョブ（Ｓ７０）では、各種検知器の読み込みが行われる。即ち、（１）左右入賞口通過検知信号等の各種信号が主制御部９０に、（２）発射停止スイッチ信号、タッチスイッチ信号、発射スイッチ信号等の各種信号が発射中継基板４３ｂを介して発射装置制御基板４３ａに、それぞれ取り込まれる。また、第一種始動口（普通電動役物）入賞検知器１７ｓから第一種始動口入賞検知信号、変動入賞装置１８から入賞検知信号、及び普通図柄作動通過口検知信号が主制御部９０に取り込まれる。
【００６６】
カウント検知器２３ｓ、特定領域通過検知器２３ｖ等に異常があるか否かが判定され（Ｓ８０）、異常がなければ（Ｓ８０：ＹＥＳ）、特別図柄メインジョブ（Ｓ９０）から音声ジョブ（Ｓ１１０）までジョブが実行される。また、異常（球詰まりや断線等）があれば（Ｓ８０：ＮＯ）、エラージョブ（Ｓ１３０）が実行される。更に、特別図柄メインジョブ（Ｓ９０）においては、主制御部９０と特別図柄制御部１１０とが協調して動作するための必要なデータに関するジョブが実行される。また、普通図柄メインジョブ（Ｓ１００）では、普通図柄及び普通図柄未始動回数の表示態様データの読み込みが行われる。また、音声ジョブ（Ｓ１１０）では、遊技状態に応じた音声データが出力される。
【００６７】
各フラグ状態がバックアップメモリにセットされ（Ｓ１４０）、賞球信号ジョブ（Ｓ１５０）、情報信号ジョブ（Ｓ１６０）、コマンドジョブ（Ｓ１７０）、及び残余時間ジョブ（Ｓ１８０）が実行される。ここで、賞球信号ジョブ（Ｓ１５０）においては、賞球払出しに関するデータの読み込みや出力が行われ、情報信号ジョブ（Ｓ１６０）では、他の制御部への情報出力に必要なデータの読み込みが行われる。また、コマンドジョブ（Ｓ１７０）では、特別図柄管理のためのコマンド出力が行われ、残余時間ジョブ（Ｓ１８０）では、非等速乱数の呼び出しや、汎用乱数メモリの更新が行われる。
【００６８】
上記メインジョブの一連の流れの中で実行される始動入賞｛第一種始動口（普通電動役物）１７への入賞｝時の当否判定ジョブに関して図７を参照して説明する。これらのジョブで使用する各種メモリは、図３に示す主制御部９０の内蔵ＲＡＭ９２（図１１参照）に格納され、代表的なもの（９２ａ〜９２ｍ）を図８に示す。
【００６９】
Ｓ２００において始動入賞があったか否かを確認し、ＹＥＳであれば、Ｓ２１０において特別図柄保留数メモリ９２ｂ（図８参照）に記憶されている保留数（未始動回数）を１インクリメントする。この保留数（未始動回数）が一定値（本実施例では、「４」）を越えていれば、その始動入賞は無効となり、Ｓ２５０へスキップする。また、一定値内の保留数（未始動回数）であれば、Ｓ２３０において、特別図柄当否判定乱数（以下、当否用乱数、又は判定乱数ともいう。）を発生させ｛プログラムを発生させても、所定の乱数発生回路を用いても何れでもよい（当否用乱数発生手段）｝、読み込んだ判定乱数値を、Ｓ２４０において、特別図柄当否判定乱数メモリ９２ａ（図８参照：以下、判定乱数メモリともいう。）に記憶する。このメモリは、読み込んだ判定乱数値を始動入賞の時系列にシフトメモリ形式で記憶している。
【００７０】
Ｓ２５０において、判定乱数メモリ９２ａ（図８参照）から記憶している最も古い先頭の乱数値を読み出す。また、Ｓ２６０において、大当たり番号メモリ９２ｇ（図８参照）から大当たり番号（当たり用判定値）を読み出す。そして、Ｓ２７０において、上記判定乱数値との比較を行い、両者が一致していれば「大当たり判定」となり、一致しなければ、「外れ判定」となる。ここで、「大当たり判定」の場合には、Ｓ２８０に進み、大当り図柄決定乱数（識別情報決定用乱数）を発生させ、これを読み込んでその決定乱数値を大当たり図柄決定乱数メモリ９２ｃに記憶する。
【００７１】
尚、大当たり図柄決定乱数の読み込みは、始動入賞時に当否用乱数と同時に読み込まれているが、当たり判定決定と同時に、或いは、当たり判定決定後の所定の時間後に読み込むものとしてもよい。また、Ｓ３００において、「大当たり」という判定結果（本実施例では、「１」）を判定結果メモり９２ｉ（図８参照）に記憶する。更に、大当たり図柄決定乱数と同時に、リーチ態様決定乱数を発生させ、これを読み込んで、その決定乱数値をリーチ態様決定乱数メモリ９２ｊ（図８参照）に記憶している（Ｓ２９５）。
【００７２】
この大当たり図柄決定乱数値で指定される特別図柄は、特別図柄表示部１１０のＲＯＭ１１３｛図３及び図５（ａ）参照｝に格納されている特別図柄画像データに基づいて、前記液晶表示盤１２ａに、変動表示状態を経た後、定められた配列態様で表示される（例えば、「７、７、７」の３桁同一図柄の配列態様）。尚、上記特別図柄画像データを、大当たり図柄決定乱数値と対応付けて識別情報決定用値とし、主制御部９０の内蔵ＲＡＭ９２に記憶しておく。そして、読み込んだ大当たり図柄決定乱数値と、この識別情報決定用値とを比較することで、停止表示する図柄を決定するものとしてもよい。
【００７３】
リーチ態様決定乱数値で指定されるリーチ表示態様は、特別図柄表示部１１０のＲＯＭ１１３｛図３及び図５（ａ）参照｝に格納されているリーチ表示態様画像データに基づいて、前記液晶表示盤１２ａに、変動表示状態を経た後、定められたリーチ態様で表示される。尚、この場合も、上記リーチ表示態様画像データを、リーチ態様決定乱数値と対応付けてリーチ態様決定用値とし、主制御部９０の内蔵ＲＡＭ９２のリーチ表示態様決定用値メモリ９２ｋに記憶しておく。そして、読み込んだリーチ態様決定乱数値と、このリーチ態様決定用値とを比較することで、表示するリーチ態様を決定するものとしてもよい。
【００７４】
外れ判定となった場合には、Ｓ２７０からＳ３１０に進み、外れリーチジョブを行うかどうかを乱数値により決定する。即ち、Ｓ３１０において、リーチ態様決定乱数を発生させ、これを読み込み、他方、Ｓ３２０において、リーチ番号メモリ９２ｈ（図８参照）に記憶されているリーチ番号を読み出す。そして、Ｓ３３０において、両者が一致していれば外れリーチジョブとなり、一致していなければ通常外れジョブとなる。
【００７５】
外れリーチジョブの場合は、Ｓ３４０へ進み、少なくとも揃えるべき２つの特別図柄（例えば、３種類の特別図柄のうち、左図柄と右図柄）を、外れリーチ図柄決定乱数（また、左図柄の乱数を参照し、それに右図柄を一致させるようにしてもよい。）を使用して決定し（Ｓ３４０）、外れリーチ図柄番号メモリ９２１に記憶する（Ｓ３５０）。また、Ｓ３６０において、外れ中図柄を乱数により同様に決定し、Ｓ３７０において決定した乱数値を、中図柄番号メモリ９２ｆに記憶する。更に、Ｓ３８０において、「外れリーチ」という判定結果（本実施例では「２」）を、判定決定メモリ９２ｉに記憶する。
【００７６】
一方、通常外れジョブの場合は、Ｓ３９０に進み、各特別図柄（例えば、左図柄、右図柄及び中図柄）を、それぞれ乱数により決定し、決定した各乱数値をそれぞれ対応する外れ左図柄メモリ９２ｄ、外れ右図柄メモリ９２ｅ、外れ中図柄メモリ９２ｆに、夫々記憶する（Ｓ３９０〜Ｓ４４０）。また、Ｓ４５０において、「通常外れ」という判定結果（本実施例では「３」）を、判定決定メモリ９２ｉに記憶する。
【００７７】
上記メインジョブの一連の流れの中で実行される、特別図柄メインジョブの概略の流れについて、図９を参照して説明する。Ｓ５００において、第一種始動口（普通電動役物）１７への遊技球の入賞に基づき、特別図柄表示装置１６における液晶表示盤１２ａで各特別図柄の変動表示を開始させる。例えば、左右及び中の図柄を、上から下、下から上へスクロール変動させる。次いで、Ｓ５１０において、判定決定メモリ９２ｉから図７に示す当否判定ジョブで得られた各入賞に対する判定結果を読み出す。
【００７８】
具体的には、大当たり判定（「１」）の場合（Ｓ５２０：ＹＥＳ）、Ｓ５８０に進み、上述したリーチ態様決定乱数値に対応するリーチ態様決定用値メモリ９２ｋに記憶されているリーチ態様決定用値を読み出す。更に、Ｓ６００に進み、大当たり番号（識別情報決定用値）を大当たり番号メモリ（決定用値記憶手段）９２ｇ（図６参照）から読み出し、Ｓ６１０に進んで、例えば、左図柄及び右図柄を同一図柄に揃えて所定のリーチ表示態様を経た後に、中図柄を、左図柄及び右図柄を同一図柄に揃えて停止表示させ、確定させる。
【００７９】
一方、外れ判定（「２」）の場合（Ｓ５３０：ＹＥＳ）、Ｓ５７０に進み、上述した外れリーチ図柄番号メモリ９２ｌから外れリーチ図柄番号と、外れ中図柄番号メモリ９２ｆから外れ中図柄番号を読み出す。そして、Ｓ５７１において、読み出した外れリーチ図柄番号と外れ中図柄番号とを比較し、それらの差異に基づき、外れリーチ態様を決定する（Ｓ５７２）。
【００８０】
具体的には、Ｓ５７１において、それらの番号の差（即ち、例えば、左図柄と中図柄との差）を算出し、その差に基づいて外れリーチ態様メモリ９２ｍから外れリーチ態様データを読み出す。例えば、差が「−１」の場合（即ち、例えば、中図柄が左図柄の１つ前の図柄となる場合）、複数種類（例えば、３種類）の外れスーパーリーチの中から１種が選択され（例えば、所定の乱数取得により選択することができる。）、読み出される。その後、例えば、左図柄及び右図柄を同一図柄に揃えて、所定のリーチ表示態様を経た後に、中図柄を、他の図柄とは異なる図柄で停止表示させ、確定させる。
【００８１】
通常外れ判定（「３」）の場合（Ｓ５４０）、Ｓ５５０に進み、外れ各図柄番号を、外れ図柄番号メモリ９２ｅ、外れ中図柄番号メモリ９２ｆからそれぞれ読み出し、Ｓ５６０に進んで、各特別図柄（例えば、左図柄、右図柄及び中図柄）を、相互にずれたタイミングで停止表示させ、確定させる。尚、通常外れ判定の場合も、表示態様を「すべり表示」等により種々の態様に変化させることも可能である。この場合、その表示態様画像データを、上記リーチ態様決定乱数値と対応付け、通常外れ表示態様決定用値として、主制御部９０の内蔵ＲＡＭ９２の通常外れ表示態様決定用メモリ（図示略）に記憶しておく。そして、読み込んだリーチ態様決定乱数値と通常外れ表示態様決定用値とを比較することで、表示する通常外れ態様を決定するものとしてもよい。
【００８２】
大当たり判定により、液晶表示盤１２ａには、所定の配列態様で特別図柄が確定表示され（例えば、「７、７、７」の３桁同一図柄の配列態様）、その後、特別遊技が実行される（特別遊技状態若しくは大当たり遊技状態）。そして、特別遊技状態においては、先ず、変動入賞装置１８の開閉板２３ｂが開放状態となり、大入賞口２３への遊技球の入賞が、遊技者にとって優位な遊技球受入状態となる。
【００８３】
尚、インテリジェント制御方式の場合には、前記Ｓ３３０までのステップを主制御部９０で実行し、それ以降のステップを特別図柄制御部１１０で実行させる。これにより、主制御部９０と特別図柄制御部１１０等の周辺制御部（第一周辺制御基板〜第四周辺制御基板等）との制御負担割合を均等化し、資源の効率的な活用を図ることができる。この場合は、例えば、Ｓ５００からＳ５３０のステップは主制御部９０で実行し、それ以降は特別図柄制御部１１０で実行させることになる。
【００８４】
上記特別遊技状態において、大入賞口２３の遊技球受入状態は、終了条件が成立するまで継続される。例えば、解放状態が所定時間ｔ1 （例えば、３０秒）経過したとき、若しくはカウント検知器２３ｓに所定数ｎ1 （例えば、１０個）の入賞が検知されたときに、終了条件が成立し、遊技球受入状態は一旦終了して、開閉板２３ｂが閉鎖状態となって１ラウンドが終了する。この開閉板２３ｂが閉鎖された所定時間ｔ2 （例えば、１秒）経過した後に、所定の継続条件（図示しない特定領域への通過）が成立していれば、再び、開閉板２３ｂが解放状態となり、大入賞口２３は遊技球受入状態となる。尚、このような終了条件までを１ラウンドとする遊技球受入状態は、所定の最高継続ラウンド数（本実施例では１８０ラウンド）まで、繰り返し継続される。また、終了条件成立時に、継続条件が不成立の場合は、特別遊技状態が、そのラウンドで終了（いわゆるパンク）するものとなっている。
【００８５】
パチンコ機１においては、当たり判定により前記特別図柄表示装置１６の前記表示盤１２ａに停止表示された特別図柄の種類に基づき、上記特別遊技状態の終了後、次の大当たりまで当否判定の確率（大当たり確率）を変更（向上）させる確率変更手段が備えられている。具体的には、予め記憶されている上記大当たり図柄決定乱数値が、確率変更用乱数値と非確率変更用乱数値とから構成され、各乱数値の取得に応じて確率変更用図柄又は非確率変更用図柄が停止表示される。その停止表示された図柄が確率変更用図柄の場合、上記特別遊技状態の終了後、次の大当たりまで当否判定の確率（大当たり確率）が、通常の約４〜１０倍に向上するものとされている。
【００８６】
（５）発射ハンドルの構造
次に、図１２及び図１３を用いて、発射ハンドル１０の構造を説明する。この発射ハンドル１０は、図１２及び図１３に示すように、発射レバー５５と、把持部１０ｄと、連結子５９と、可変抵抗器６０と、ハンドル保持部５７と、を備えている。尚、図１２において、下皿外枠６ｂより内側（同図において右側）は、下皿外枠６ｂや中枠３を取除いた発射装置の打撃槌５６及びその駆動部を示している。
【００８７】
発射レバー５５は、把持部１０ｄとハンドル保持部５７との間に回動自在に挟持されている。また、ハンドル保持部５７は、中枠３に支持されたハンドルベース５８に固定され、可変抵抗器６０はハンドル保持部５７内に保持されている。そして、この可変抵抗器６０の回動軸６２は、連結子５９を介して発射レバー５５の回動軸（図示略）と連結されているため、発射レバー５５の回動操作に伴って、可変抵抗器６０の回動軸６２は回動する。
【００８８】
次に、図１４〜図１７を用いて、可変抵抗器６０を詳細に説明する。この可変抵抗器６０は、ハウジング６１と、回動軸６２と、回動板６３と、絶縁基板６５と、接続連絡線７０と、補助板７１と、導通手段７３とを備えている。
【００８９】
ハウジング６１は、平面略円形の箱形状を備えており、軸心位置に上板部６１ａの内外を貫通する略円筒状の軸受け部６１ｂを形成している。また、ハウジング６１の内壁面のうちで、軸受け部６１ｂの一端部６１ｃを取り囲む部位には、平面略ドーナツ形状の絶縁基板（外径＝約１８ｍｍ、内径＝約９ｍｍ）６５が配置されている。そして、絶縁基板６５の内壁面の一部には、絶縁基板６５の半径外方向に向かって凹んだ凹部６５ａが設けられている（図１５を参照）。
【００９０】
また、絶縁基板６５の表面には、大小２つの導電膜が半径方向に所定の間隔をおいて同心円状に形成されている。そして、外周側が第一導電膜の一例を示す抵抗膜６７であり、内周側が第二導電膜の一例を示す電極膜６９である。このうち、抵抗膜６７は導電率の低い導電体を略Ｃ字形状として構成されると共に、両端に各々設けられた抵抗膜ターミナル部６７ｄ、６７ｅ間の抵抗値が所定の抵抗値になるようにされている。また、ハウジング６１からは、抵抗膜ターミナル部６７ｄ、６７ｅを可変抵抗器６０外の配線に接続するための接続端子６７ａ、６７ｂが露呈している。即ち、一方の抵抗膜ターミナル部６７ｄは、抵抗膜側の第１接続端子６７ａに接続され、他方の抵抗膜ターミナル部６７ｅは、抵抗膜側の第２接続端子６７ｂに接続されている。
【００９１】
電極膜６９は導電率の高い導電体を略円形状として構成され、電極膜ターミナル６９ｂと、この電極膜ターミナル６９ｂから最遠部にあたる電極膜最遠部６９ｄと、の間の抵抗値が、前記２つの抵抗膜ターミナル部６７ｄ、６７ｅ間の抵抗値に比べ、十分に小さな値となるようにされている。また、この電極膜６９の電極膜ターミナル６９ｂは、絶縁基板６５における凹部６５ａの形成部位に位置しているため、この電極膜ターミナル６９ｂは、凹部６５ａと絶縁基板６５の肉厚方向に沿って連続する凹部６９ｅを備えている。
【００９２】
また、ハウジング６１からは、前述の第１接続端子６７ａ及び第２接続端子６７ｂの他に、電極膜ターミナル６９ｂを可変抵抗器６０外の配線に接続するための第３接続端子６９ａも露呈している。そして、この第３接続端子６９ａと、電極膜ターミナル６９ｂとが、接続連絡線７０を用いて接続されている。但し、本実施の形態では、この第３接続端子６９ａと、電極膜ターミナル６９ｂ（電極膜６９）の電気的な導通を確実にするために、補助板７１が用いられている。
【００９３】
この補助板７１は、表裏面を貫通する貫通孔７１ａを備えており、この貫通孔７１ａを絶縁基板６５の半径方向に向けた状態にて凹部６５ａ内に挿入されている。また、貫通孔７１ａには、接続連絡線７０の一端部が挿入されている。更に、接続連絡線７０の他端側は、電極膜側の接続端子６９ａにロー付け等の手法で接続されている。そして、この状態にて、電極膜ターミナル６９ｂと、接続連絡線７０の一端部と、補助板７１と、に導電性接着剤７２が塗布されている。即ち、導電性接着剤７２を塗布する際に、補助板７１が凹部６５ａ、６９ｅ内、及び電極膜ターミナル６９ｂの表面上に、心材として存在する。よって、凹部６５ａ、６９ｅ内に導電性接着剤７２が保持され易いばかりか、電極膜ターミナル６９ｂの表面上においても、十分な量（一部分７１ｅを隠蔽する量）の導電性接着剤７２が保持され易い。このように、十分な量の導電性接着剤７２が、接続連絡線７０の一端部と、電極膜ターミナル６９ｂとの接続部分に配置されるため、この接続部分の強度が十分なものとなる。このため、第３接続端子６９ａと、電極膜ターミナル６９ｂの電気的な導通が確実なものとなっている。
【００９４】
尚、補助板７１は導電材料であれば特に材質は何でもよいが、導電率の高い銅材とかアルミ材が好ましい。また、補助板７１の外周面の面粗度を荒くしたり、この外周面に凹凸を備えると、この凹凸等がアンカーとして機能するため、導電性接着剤７２との接合性がより高くなり、接続連絡線７０の一端部と、電極膜ターミナル６９ｂとの接続部分の耐久性をより一層高めることができる。そして、この補助板７１を備えることにより、発射レバー５５の回動による遊技球の発射力の調整が、利き難くなるという不具合を好適に解消できる。また、本実施の形態において、この補助板７１が凹部６５ａ内に遊入状態で挿入されても、嵌合状態で挿入されてもよい。
【００９５】
回動軸６２は、軸受け部６１ｂによって回動可能に支持されつつ、一端部をハウジング６１内に収容し、他端部をハウジング６１外に露呈している。また、回動軸６２の一端面は、ハウジング６１内に収容された回動板６３の主表面に固定されている。この回動板（合成樹脂等の絶縁体製）６３の外縁寸法は、絶縁基板６５の外縁寸法と略等しくされている。また、回動軸６２の一端面は回動板６３の軸心位置に固定されており、回動板６３は回動軸６２と一体で回動する。従って、発射レバー５５を回動すると、この回動板６３も回動する。
【００９６】
次に、図１６及び図１７を用いて、導通手段７３の詳細を説明する。この導通手段７３は、回動板６３の主表面のうちで、回動軸６２を取り囲む部位に配置されている。この導通手段７３は、端子ホルダ７４と、第一電極ブラシ７５と、第二電極ブラシ７６とを備えている。尚、以下の記述において、この第一電極ブラシ７５及び第二電極ブラシ７６を併せて、単に、「電極ブラシ」と称することがある。
【００９７】
端子ホルダ７４は、略Ｌ字形状を備えており、その一端側が回動板６３に固定されている。また、端子ホルダ７２の他端側は、二股状の取付部７４ａ、７４ｂとされ、回動板６３の外周側に位置する取付部７４ａには第一電極ブラシ７５が連接され、回動板６３の内周側に位置する取付部７４ｂには第二電極ブラシ７６が連接されている。
【００９８】
両電極ブラシ７５，７６（第一電極ブラシ７５及び第二電極ブラシ７６）は、銀−パラジウム合金製の線材（硬度；２９０ＨＶ、横断面形状；円形、直径；０．０１ｍｍ）を長さ５ｍｍに切断した線材片を、８本相隣接するように並べて構成されている。そして、これらの電極ブラシ７５，７６の一端側は、端子ホルダ７４の各取付部７４ａ、７４ｂに熔接（溶接）されている。
【００９９】
本実施形態では、図１６（ｂ）に示すように、このような電極ブラシ７５，７６を備えた端子ホルダ７４において、電極ブラシ７５，７６を熔接した部分よりやや内側で緩く曲げている。また、電極ブラシ７５，７６の他端側は、前述の抵抗膜６７や電極膜６９と摺動する部分である。そして、各電極ブラシ７５，７６を構成する各複数の線材の先端部（他端側）は、山形（抵抗膜７２や電極膜７３側に突となる山形）に湾曲する形状の突出状部分７７ａとされている。そして、各電極ブラシ７５，７６毎に、各８つの突出状部分７７ａが、横方向（抵抗膜６７や電極膜６９）に並設されると共に、隣り合う突出状部分７７ａ同士が密接され、突出状摺動部７７、７７を構成している。また、突出状部分７７ａの突端、即ち、膜面６７ｓ、６９ｓとの摺動面７７ｂは、滑らかな曲面となっている。
【０１００】
ここで、図１６（ｃ）に示すように、導通手段７３は、抵抗膜側及び電極膜側の各突出状摺動部７７、７７の摺動面７７ｂが、抵抗膜６７や電極膜６９の表面、即ち、膜面６７ｓ，６９ｓに接するように、可変抵抗器６０に組み付けられる。尚、図１６（ｃ）中で、実線部分は、突出状摺動部７７、７７が、膜面６７ｓ，６９ｓに接する前の状態（フリー状態）を示し、点線部分は、突出状摺動部７７、７７が、膜面６７ｓ，６９ｓに接するときの状態を示している。そして、この実線部分から点線部分への変形量に相当する「ばね弾性による反発力」を、突出状摺動部７７と膜面（抵抗膜６７の表面や電極膜６９の表面）６７ｓ，６９ｓとの間に作用させ、導通手段７３が、抵抗膜６７及び電極膜６９を電気的に導通させている。
【０１０１】
本実施の形態の可変抵抗器６０では、図１８に示すように、膜面（抵抗膜６７の表面や電極膜６９の表面）６７ｓ，６９ｓに多少の凹凸が存在するか否かを問わず、突出状摺動部７７、７７と、この膜面６７ｓ，６９ｓとの接触状況が滑らかである。即ち、突出状摺動部７７、７７と、膜面６７ｓ，６９ｓとが接触している部分から接していない部分へは、急峻でなく滑らかに変化している。
【０１０２】
従って、突出状摺動部７７、７７が膜面６７ｓ，６９ｓに摺動することにより、膜面６７ｓ，６９ｓを傷つけたり、摩耗させることを低減する。また、膜面６７ｓ，６９ｓに、たとえ、汚れ、摩耗粉等が存在しても、摺動面７７ｂが曲面状に構成されるため、膜面６７ｓ，６９ｓと突出状摺動部７７、７７との間に滑らかに変化する形状であっても空隙が生じ、摩耗粉等がその空隙に移動することができる。このため、摩耗粉等が膜面６７ｓ，６９ｓと突出状摺動部７７，７７との間に入り込み難くなり、この点からも、膜面６７ｓ，６９ｓを傷つけたり、摩耗させる可能性が低くなる。
【０１０３】
更に、各突出状摺動部７７、７７では、多数の突出状部分７７ａを密接状に配置し、膜面６７ｓ、６９ｓとの接点数を多くするため、接点に於ける導通率の安定性にも優れており、抵抗の安定性に優れたものとなっている。また、このように、接点数を多くすることで、膜面６７ｓ，６９ｓの幅に沿った広範囲（例えば、全域）個所に接点を配置して電流の流れを安定させるため、仮に、接点の一部に摩耗粉が付着していても、接触抵抗の増加を他の接点部でカバーできる。更に、突出状部分７７ａ（接点）を貴金属系材料を用いたマルチワイヤー方式で構成するため、接点や摩耗粉の酸化等による接触抵抗の増加を抑えることもできる。
【０１０４】
即ち、図１９に示すように、従来例では、摺動部７７Ａは端子ホルダから電極ブラシを櫛状に成形したものであり、摺動部７７Ａと膜面６７Ａ、６９Ａとの接点が狭く、鋭部で接していることがある。この場合、接している部分から接していない部分への変化が急激であり、摺動部７７Ａによって膜面６７Ａ、６９Ａを傷付け易く、摩耗粉の発生も多い。そして、この摩耗粉が摺動部７７Ａと膜面６７Ａ、６９Ａとの間に挟み込まれることとなり、その摺動部７７Ａと膜面６７Ａ、６９Ａとの間に形成される扁平な略三角形の部分Ｔに挟み込まれた摩耗粉等は左右の空隙に移動しがたいため、その間の電気的導通が不安定となり易い。これに対して、本実施例では、電極ブラシ７５，７６の摺動部側の断面形状（突出状摺動部７７、７７の断面形状）が円形であるため、膜面６７ｓ、６９ｓと電極ブラシ７５，７６（突出状摺動部７７、７７）との間の略正三角形状の空間へ摩耗粉等が逃げ込み易く、電極ブラシ７５，７６と膜面６７ｓ、６９ｓとの間に摩耗粉が存在する確率が小さくなり、その間の電気的導通を安定化させることができたものである。尚、以上の説明に用いた図１８及び図１９の拡大率は、膜面に垂直方向を水平方向よりも大きくして、膜面の垂直方向の凹凸を実際よりも大きくして表している。
【０１０５】
尚、各突出状摺動部７７、７７を構成する突出状部分７７ａ（接点部）の数は種々選択できるが、６個所以上とすることが、導電率の安定化をもたらすために好適である。また、突出状摺動部７７、７７を構成する各突出状部分７７ａが、膜面６７ｓ、６９ｓとの間に十分な接触力（前記端子ホルダ及び前記ブラシ材の弾性変形による前記反発力）を生じさせ、しかも、各突出状部分７７ａの突端に十分に滑らかな摺動面７７ｂを確保し、膜面６７ｓ，６９ｓに傷をつけないものとするためには、線径は０．０８ｍｍ以上とするのが好適である。また、組み付け易さ等の点からは、線径は０．０５ｍｍ以上とすることがより好ましい。更に、発射ハンドル１０の大きさは、遊技者が操作し易いサイズであり、その内に装着される可変抵抗器６０の大きさは制限されることから、前記電極ブラシ７５，７６を構成する線材の線径は０．６ｍｍ以下が好ましく、膜面６７ｓ、６９ｓへの反発力が過大となって膜面６７ｓ、６９ｓを傷つけることがないようにするためには、線径は０．２ｍｍ以下とすることがより好ましい。また、電極ブラシ７５，７６を構成する線材数を、本実施例では各８本としたが、例えば、第一電極ブラシ７５の線材数を８本とし、第二電極ブラシ７６の線材数を６本とする等して、各電極ブラシ７５，７６を構成する線材数を、第一電極ブラシ７５と第二電極ブラシ７６で変えてもよい。
【０１０６】
（６）耐久試験
図２０は、突出状摺動部７７、７７と、膜面６７ｓ、６９ｓとの間の導通性を調べるための測定回路図である。即ち、可変抵抗器６０の第１接続端子６７ａ（同図中▲１▼）と、第３接続端子６９ａ（同図中▲３▼）との間に、定電流（本実施例の場合、０．２ｍＡ）を流し、そのときの第３接続端子６９ａ（同図中▲３▼）と、第２接続端子６７ｂ（同図中▲２▼）との間の電圧を測定した。ここで、可変抵抗器の▲１▼〜▲２▼間の抵抗値は、５Ｋオームであり、測定器レコーダＶの入力インピーダンスは、１０Ｍオーム以上である。
【０１０７】
前述した実施の形態で述べた実施例と、従来例について、各５個に対して、以下の耐久試験を行った。この耐久試験は、回動軸６２の回動角度の中央（▲１▼〜▲３▼間の抵抗値が２．５Ｋオームとなる位置）より、＋４５度〜−４５度の間を、１分間に６０回往復する回動速度で行ったものである。そして、「試験前」、「１００万回（往復）まで回動を繰り返した後」、「この１００万回（往復）まで回動を繰り返す途中、１０万回目、２０万回目及び５０万回目」に測定を行った。尚、この従来例では、電極ブラシの構造が実施例と異なっている。即ち、従来例においては、抵抗膜側の電極ブラシとして、バネ用リン青胴（硬度；２１０〜２６０ＨＶ）で構成され、矩形状の端面（０．１ｍｍ×０．１６ｍｍ）を摺動部とすると共に、この摺動部を０．１５ｍｍ間隔で６本備えたものを用いた。また、電極膜側の電極ブラシとして、同様な摺動部を０．１５ｍｍ間隔で４本備えたものを用いた。
【０１０８】
実施例の各５個についての測定結果の平均値、最大値及び最小値を表１に示し、従来例の各５個についての測定結果の平均値、最大値及び最小値を表２に示す。尚、各表中の数値は、回動軸６２の回動角度が中央にあるときの全抵抗値に対する接触抵抗値（▲３▼〜▲２▼間の抵抗値）の比率である。
【０１０９】
【表１】
0004621929.tif 000002
【０１１０】
【表２】
0004621929.tif 000003
【０１１１】
表１及び表２に示すとおり、従来例は実施例に比べて、接触抵抗の経時的劣化が大きく、また、回動位置による接触抵抗のふらつきが大きかった。これに対して、実施例では、永い期間、使用しても、接触抵抗値は小さく、安定した値のままであり、実施例の可変抵抗器６０は安定した性能を示している。従って、この可変抵抗器６０を、発射ハンドル１０に用いられる打撃槌５９の打撃力を調整するために使用すれば、打撃槌５９の打撃力は、遊技者の回動操作する発射レバー５５の回動量（回動角度）に対応して正確に定められることになる。このため、長く使用した後においても、発射レバー５５を一定量だけ回動させた場合の打撃力が一定になり、遊技者の意に即して遊技球の打撃強度を調節することができるため、遊技球を遊技領域９へ進入させることができ、遊技者の興趣を高めることができる。また、発射レバー５５の回動角度を固定する場合には、遊技球の発射力が強くなったり、弱くなったりすることがないため、遊技球が遊技盤８上の一定の狙った個所に進入させ易くなった。
【０１１２】
従って、実施例によると、遊技者は、発射レバー５５の回動量を微妙に調節して、遊技球を遊技領域９の希望の部位（狙い個所）に打ち込み、その狙った個所に進入した遊技球の進行具合を観察しつつ、遊技球の進入する狙い個所を調整しながら遊技を楽しむことができるようになる。殊に、大当たり中においても、遊技球の発射力のふらつきがなくなり、好適な興趣をもたらす遊技機１を提供することができる。
【０１１３】
尚、本発明の範囲は、前記実施の形態に示した具体例に限定されず、種々の変形例を例示することができる。即ち、前記実施の形態では、参考発明１〜参考発明４の全ての発明を充足する具体例を例示したが、参考発明１〜参考発明４の何れかのみが適用される遊技機であってもよい。
【０１１４】
また、参考発明１〜参考発明３においては、複数の線材や、複数の板材（例えば、図１９に示す板バネ）の先端部等に、突出状部分を構成する球体、楕円球体、半球体、若しくは半楕円球体等を付加し、突出状摺動部を構成することもできる。但し、前記実施の形態で例示した態様によると、線材を単に山形に湾曲させれば、突出状摺動７７が得られるため、可変抵抗器６０の製造上の手間やコストを削減でき、より好適である。
【０１１５】
実施の形態の如く、絶縁基板６５において、電極ターミナル部６９ｂの形成部位やその周辺に凹部６５ａを設け、この凹部６５ａに補助板７１を挿入する態様とすれば、導電性接着剤７２の接着面積が確実に増え、接続連絡線７０の一端部と、電極膜ターミナル６９ｂとの接続部分の強度が、より大きなものとなる。また、この凹部６５ａの形成態様は、実施の形態の具体例に限定されず、例えば、絶縁基板６５の表面で開口し、絶縁基板６５の厚み方向に凹むような凹部であってもよい。
【０１１６】
【発明の効果】
以上記述したように本発明によれば、遊技機の発射ハンドルのような起動装置に使用されている可変抵抗器の耐久性を向上させることで、発射レバー等の起動レバーの（回動）操作量又は起動操作量と、遊技の起動力（例えば、打撃槌の打撃力）とが長期間に渡って正しく対応する遊技機が得られる。
【図面の簡単な説明】
【図１】発明の実施の形態で説明したパチンコ機の正面図である。
【図２】同パチンコ機の裏面図である。
【図３】同パチンコ機が備える電子制御装置のブロック図である。
【図４】（ａ）は図３の電子制御装置を構成する主制御部の説明図、（ｂ）は図３の電子制御装置を構成する枠制御部の説明図である。
【図５】（ａ）は図３の電子制御装置を構成する特別図柄制御部の説明図、（ｂ）は図３の電子制御装置を構成するランプ制御部の説明図、（ｃ）は図３の電子制御装置を構成する音声制御部の説明図である。
【図６】主制御部が行うメインジョブを説明するためのフローチャートである。
【図７】当否判定ジョブを説明するためのフローチャートである。
【図８】主制御部の内蔵ＲＯＭに格納された各種メモリの代表例を説明するための説明図である。
【図９】特別図柄メインジョブの概略を説明するためのフローチャートである。
【図１０】主制御部を説明するための説明図である。
【図１１】主制御部を構成するＣＰＵを説明するため説明図である。
【図１２】発射装置の側面図である。
【図１３】発射ハンドルの分解斜視図である。
【図１４】（ａ）は可変抵抗器の縦断面図、（ｂ）は可変抵抗器を下方から観た横断面図である。
【図１５】（ａ）は導電性接着剤を省略して示す可変抵抗器を下方から観た一部横断面図、（ｂ）は導電性接着剤の塗布後を示す図１５（ａ）の１−１断面図、（ｃ）は同じく導電性接着剤の塗布を示す図１５（ａ）の２−２断面図である。
【図１６】（ａ）は導通手段の拡大平面図、（ｂ）は導通手段の側面図、（ｃ）は導通手段の組付状態を説明するための側面図である。
【図１７】（ａ）は回動軸と回動板と導通手段とを示す正面図、（ｂ）は回動軸と回動板と導通手段とを示す側面図｛（ａ）の位置から９０度回転させた状態｝、（ｃ）は図１７（ａ）の平面図、（ｄ）は図１７（ｂ）の平面図である。
【図１８】発明の実施の形態の突出状摺動部が、膜面（抵抗膜の表面や電極膜の表面）を摺動している状態の概略的な拡大縦断面図である。
【図１９】従来例の摺動部が、膜面（抵抗膜の表面や電極膜の表面）を摺動している状態の概略的な拡大縦断面図である。
【図２０】耐久試験に際して使用した測定回路図である。
【図２１】（ａ）は従来の可変抵抗器の下方から観た一部横断面図、（ｂ）は図２０（ａ）の３−３断面図である。
【符号の説明】
１；パチンコ機（遊技機）
１０；発射ハンドル
５５；発射レバー
６０；可変抵抗器
６２；回動軸
６７；抵抗膜
６９；電極膜
７０；接続連絡線
７１；補助板
７３；導通手段
７７；突出状摺動部
７７ａ；突出状部分
７７ｂ；摺動面。
【図１】
0004621929.tif 000004
【図２】
0004621929.tif 000005
【図３】
0004621929.tif 000006
【図４】
0004621929.tif 000007
【図５】
0004621929.tif 000008
【図６】
0004621929.tif 000009
【図７】
0004621929.tif 000010
【図８】
0004621929.tif 000011
【図９】
0004621929.tif 000012
【図１０】
0004621929.tif 000013
【図１１】
0004621929.tif 000014
【図１２】
0004621929.tif 000015
【図１３】
0004621929.tif 000016
【図１４】
0004621929.tif 000017
【図１５】
0004621929.tif 000018
【図１６】
0004621929.tif 000019
【図１７】
0004621929.tif 000020
【図１８】
0004621929.tif 000021
【図１９】
0004621929.tif 000022
【図２０】
0004621929.tif 000023
【図２１】
0004621929.tif 000024